(57)【特許請求の範囲】
【請求項１】
遊技機枠の前部の受皿に払い出される球が遊技機枠の前側から見えるように、球通路を内部に形成する球通路構造体が遊技機枠の前部に設けられた遊技機において、
球通路構造体が、遊技機枠の前部に固定される通路基盤と、
通路基盤の前面を覆い隠し、当該通路基盤と球通路を形成する通路カバーとに分別構成され、
前記通路基盤は、当該通路基盤から後方に突出する案内突起と、
前記通路カバーに向かって突出する鉤部を有し、前記案内突起に対して取付けられる可動鉤部材とを備え、
前記通路カバーを遊技機枠に取付けた状態において、前記可動鉤部材の鉤部が通路カバーを保持し、
通路カバーは、透明または半透明な合成樹脂からなり、前記通路基盤を覆い隠しつつ前扉の後部で固定操作および解除操作可能に前扉に取り付けられたことを特徴とする遊技機。
【請求項２】
前記可動鉤部材は、上下方向に延長する案内孔を備え、前記案内突起が案内孔に挿入されることにより前記案内孔に沿って移動可能に設けられ、
前記可動鉤部材の鉤部は、前記通路カバーに形成されるカバー側係合部との係合によって、通路カバーを保持し、
前記通路カバーの後部には、前扉の後面と平行な面内に回転し得るようにカバーロックが設けられ、
前記前扉には、当該前扉の前後方向への貫通孔としてロック孔が形成され、
カバーロックが、通路カバーの後部に回転可能に取り付けられる筒体と、筒体の後部から筒体の直径方向の外側に突出する操作部とを備え、
操作部が前扉の前方からロック孔を経由して前扉の後方に突出した状態において、操作部が前扉の後面と平行な面内で回転して前扉のロック孔の周りに開閉不能に支持され、
前記操作部と、ロック孔の周りとの支持が解かれた状態において、前記可動鉤部材を案内孔に沿って移動させ、前記鉤部と、前記カバー側係合部との係合を解除することを特徴とする請求項１記載の遊技機。
【発明の詳細な説明】
【技術分野】
【０００１】
本発明は、遊技機枠の前部に設けられる球通路の掃除が行いやすい遊技機に関する。
【背景技術】
【０００２】
パチンコ遊技機などのパチンコ球と呼ばれる球を遊技媒体として使用する遊技機には、特許文献１で開示されたように、球払出装置から受皿に払い出される球が遊技機枠の前側から見えるように、球通路が遊技機枠の前部に設けられたものが公知である。しかしながら、球通路が通る球で汚され、球通路を通る球が見えにくくなるという欠点がある。
【特許文献１】特開２００６−１２２５８５号公報
【発明の開示】
【発明が解決しようとする課題】
【０００３】
発明が解決しようとする問題点は、球通路を通る球が球通路の汚れで見えにくくなるという点である。
【課題を解決するための手段】
【０００４】
本発明に係る遊技機は、遊技機枠の前部の受皿に払い出される球が遊技機枠の前側から見えるように、球通路を内部に形成する球通路構造体が遊技機枠の前部に設けられた遊技機において、球通路構造体が遊技機枠の前部に固定される通路基盤と通路基盤の前面を覆い隠し、当該通路基盤と球通路を形成する通路カバーとに分別構成され、通路基盤は、当該通路基盤から後方に突出する案内突起と、通路カバーに向かって突出する鉤部を有し、案内突起に対して取付けられる可動鉤部材とを備え、通路カバーを遊技機枠に取付けた状態において、可動鉤部材の鉤部が通路カバーを保持し、通路カバーは透明または半透明な合成樹脂からなり通路基盤を覆い隠しつつ前扉の後部で固定操作および解除操作可能に前扉に取り付けられたことを最も主要な特徴とする。可動鉤部材は、上下方向に延長する案内孔を備え、案内突起が案内孔に挿入されることにより案内孔に沿って移動可能に設けられ、可動鉤部材の鉤部は、通路カバーに形成されるカバー側係合部との係合によって、通路カバーを保持し、通路カバーの後部には前扉の後面と平行な面内に回転し得るようにカバーロックが設けられ、前扉には当該前扉の前後方向への貫通孔としてロック孔が形成され、カバーロックが通路カバーの後部に回転可能に取り付けられる筒体と筒体の後部から筒体の直径方向の外側に突出する操作部とを備え、操作部が前扉の前方からロック孔を経由して前扉の後方に突出した状態において、操作部が前扉の後面と平行な面内で回転して前扉のロック孔の周りに開閉不能に支持され、操作部と、ロック孔の周りとの支持が解かれた状態において、可動鉤部材を案内孔に沿って移動させ、鉤部と、カバー側係合部との係合を解除してもよい。
【発明の効果】
【０００５】
本発明に係る遊技機は、通路カバーは透明または半透明な合成樹脂からなるので、球通路を通る球が遊技機枠の前側から見えるという利点がある。通路カバーと通路基盤とが前扉の前部に取り付けられた状態において、前扉の後部において、通路カバーが前扉から外れるように解除操作され、通路カバーが前扉から外された状態において、作業者が通路カバーの球通路を構成していた後面および通路基盤の球通路を構成していた前面を掃除した後、通路カバーが通路基盤を覆い隠しつつ前扉の後部で固定操作され、通路カバーが前扉の前部に取り付けられることによって、球通路が構成されるので、球通路の掃除を簡単に行うことができるという利点がある。通路カバーを前扉に取り付ける機構として、前扉の後面と平行な面内に回転し得るように通路カバーの後部に設けられたカバーロックと、前扉の前後方向への貫通孔として前扉に形成されたロック孔とを備え、カバーロックが通路カバーの後部に回転可能に取り付けられる筒体と筒体の後部から筒体の直径方向の外側に突出する操作部とを備え、操作部が前扉の前方からロック孔を経由して前扉の後方に突出した状態において、操作部が前扉の後面と平行な面内で回転して前扉のロック孔の周りに開閉不能に支持されれば、通路カバーの前扉への着脱が簡単に行えるという利点がある。
【発明を実施するための最良の形態】
【０００６】
図１は、上前扉４が開けられた遊技機枠１を示す。図２は、上前扉４が閉じられた遊技機枠１を示す。図３は、上前扉４、表示灯基板２０、反射構造体２１、球通路構造体２２を分解して示す。図４のａ図は、通路カバー４４のロック軸４９とカバーロック４８とを分解して示す。図４のｂ図は、図４のａ図に示すＡ−Ａ線に沿って切断したロック係合部５３と軸側突起５６との係合形態を示す。図４のｃ図は、図４のａ図に示すＡ−Ａ線に沿って切断したロック係合部５３と軸側突起５７との係合形態を示す。図５のａ図は、上前扉４のロック孔２５と通路カバー４４のカバーロック４８とを分解して示す。図５のｂ図は、図５のａ図に示す矢印Ｂ方向から見たロック孔２５と操作部５１との解除形態を示す。図５のｃ図は、図５のａ図に示す矢印Ｂ方向から見た扉側係合部２６と操作部５１との係合形態を示す。図６は、上前扉４の操作孔３０と通路カバー４４のカバー側係合部４７と通路基盤４５の係合挿入孔６２と可動鉤部材６４とを分解して示す。図７は、球通路２３を縦方向に切断した断面を示す。本明細書において、「前」、「後」、「左」、「右」、「上」、「下」の方向は、図２の状態に遊技機枠１を置いて矢印Ｓで示す前側から見た場合に特定される方向である。
【０００７】
図１を参照し、球払出装置９の通路カバー４４と通路基盤４５とからなる球通路構造体２２を掃除する場合について説明する。図１は、通路カバー４４が実線で示したように上前扉４から外された場合と、通路カバー４４が仮想線で示したように上前扉４に取り付けられた場合とを図示している。上前扉４がヒンジ１２を中心として図示のように前方に開かれ、通路カバー４４が実線で示したように上前扉４から外された場合、上前扉４に固定された通路基盤４５の前面が露出される。よって、通路カバー４４が上前扉４から外された状態において、作業者が通路カバー４４の球通路２３（図２；図７参照）を構成していた後面および通路基盤４５の球通路２３を構成していた前面を掃除する。
【０００８】
掃除の終了後、作業者によって、通路カバー４４の後面が通路基盤４５の前面の方向に向けられ、カバーロック４８の操作部５１が上前扉４のロック孔２５と対応するように例えば横方向に向けられ、通路カバー４４が通路基盤４５の方に近づけると、操作部５１が通路基盤４５のロック逃避孔６１（図３参照）から上前扉４のロック孔２５を経由して上前扉４より後方に突出される。そして、作業者が操作部５１を上前扉４の後面に平行な面内で例えば９０度回転操作すると、操作部５１が上前扉４のロック孔２５の周りに開閉不能に支持される。これによって、通路カバー４４が仮想線で示したように通路基盤４５の前面を覆い隠して通路基盤４５および上前扉４に固定される。
【０００９】
上前扉４がヒンジ１２を中心として図示のように前方に開かれ、通路カバー４４が仮想線で示したように上前扉４に取り付けられた場合において、作業者が操作部５１を上前扉４の後方で上前扉４の後面に平行な面内で例えば９０度回転操作すると、操作部５１と上前扉４との支持形態が解除される。つまり、操作部５１がロック孔２５から抜けるように、操作部５１とロック孔２５とが互いに対応した状態になる。次に、作業者が仮想線で示す通路カバー４４を前方に移動すると、カバーロック４８が上前扉４のロック孔２５から前方に引き抜かれ、通路カバー４４が実線で示すように上前扉４から外される。
【００１０】
要するに、通路カバー４４と通路基盤４５とが上前扉４の前部に取り付けられた状態において、上前扉４の後部において、通路カバー４４が上前扉４から外されるように解除操作され、通路カバー４４が上前扉４から外された状態において、作業者が通路カバー４４の球通路２３を構成していた後面および通路基盤４５の球通路２３を構成していた前面を掃除した後、通路カバー４４が通路基盤４５を覆い隠しつつ上前扉４の後部で固定操作され、通路カバー４４が上前扉４の前部に取り付けられることによって、球通路２３が構成されるので、球通路２３の掃除を簡単に行うことができるという利点がある。
【００１１】
図１において、遊技機としてパチンコ遊技機を例として説明する。パチンコ遊技機は、遊技機枠１の内部に図外の遊技盤を交換可能に取り付ける形態である。遊技機枠１は、固定枠２の前部に可動枠３を開閉可能に備え、可動枠３の前部に上前扉４および下前扉５を開閉可能に備える。固定枠２は、遊技機設置設備に固定される。遊技機設置設備は、パチンコ遊技機を設置する遊技店の島と呼ばれる設備である。可動枠３は、遊技盤や図外の制御装置など遊技に必要な部品を取り付ける前枠とも呼ばれ、左側に位置するヒンジ６を中心とし、固定枠２の前で前方に開かれかつ後方に閉じられるように、片開き可能である。可動枠３には、盤設置構造体７、発射機構８、球払出装置９、施錠装置１０、球出口部１１などが設けられる。上前扉４および下前扉５は、左側に位置するヒンジ１２を中心とし、可動枠３の前で前方に開かれかつ後方に閉じられるように、片開き可能である。上前扉４には、窓１３、窓パネル１４、球通路構造体２２などが設けられる。下前扉５には、受皿１５、発射操作機構１６などが設けられる。
【００１２】
球払出装置９は、タンク１７および払出機構１８を備え、タンク１７が可動枠３の後部に取り付けられ、払出機構１８が停止した状態において、遊技機枠１の設置された図外の遊技機設置構造体の補給機構から排出されたパチンコ球と呼ばれる球がタンク１７に上方から貯蔵される。球がタンク１７に貯蔵された状態において、払出機構１８が駆動すると、球がタンク１７から払出機構１８を経由して球出口部１１に払い出される。つまり、払出機構１８の駆動によって、タンク１７の球が可動枠３の前方に排出される。この球出口部１１に排出された球は、球出口部１１から上前扉４の前部に設けられた球通路構造体２２の内部の球通路２３を経由して受皿１５に払い出される。
【００１３】
図２を参照し、パチンコ遊技の一例について説明する。図外の遊技盤が可動枠３に装着され、可動枠３と上前扉４および下前扉５が閉じられて開閉不能に固定枠２に支持された状態において、遊技者が受皿１５にパチンコ球と呼ばれる球を入れ、遊技者が発射操作機構１６を操作するのに伴い、発射機構８（図１参照）が発射操作機構１６の操作量に応じた発射力で駆動し、発射機構８が受皿１５から遊技機枠１の内部に取り込まれた球を１個ずつ遊技盤の前面と窓パネル１４との間の遊技領域の上部に向けて発射する。遊技領域の上部に到達した球が、遊技領域を流下する過程において、図外の入賞部品に入賞するごとに、球払出装置９が賞球としての球を遊技機枠１の前方に払い出すと、当該払い出された球が通路カバー４４と通路基盤４５とからなる球通路２３を経由して受皿１５に払い出される。
【００１４】
図３乃至図５を参照し、上前扉４、表示灯基板２０、反射構造体２１、球通路構造体２２について説明する。図３において、上前扉４には、球出口部２４、ロック孔２５、扉側係合部２６、部品取付孔２７；２８；２９、操作孔３０などが設けられる。
【００１５】
図５のａ図に示すように、ロック孔２５は、横長になっている。扉側係合部２６は、ロック孔２５の上縁部および下縁部に個別に設けられ、左右の２本の溝３２で上前扉４から分けられた弾性片の後面にロック凸部３３を後方に突出した構造である。
【００１６】
図３に戻り、表示灯基板２０は、プリント基板などの回路基板により構成される。表示灯基板２０の前面には複数のＬＥＤ３５が光源として実装され、表示灯基板２０の後面には図外のコネクタが実装され、ＬＥＤ３５およびコネクタが表示灯基板２０におけるプリント配線と呼ばれる箔形状の電線により互いに接続され、コネクタへの電力の供給と遮断とによって、ＬＥＤ３５が個別に点灯、点滅、消灯する。表示灯基板２０には取付孔３６が設けられる。
【００１７】
そして、ＬＥＤ３５が前側に向けられ、ねじ釘３７が表示灯基板２０の前方から取付孔３６を経由して部品取付孔２７に締結され、表示灯基板２０が上前扉４の前部に固定される。表示灯基板２０のＬＥＤ３５に電力を供給する図外の配線は、上前扉４における窓１３を囲む前装飾部３１の内部通路を経由して左側部から上前扉４の後方に引き出される。
【００１８】
反射構造体２１は、光源孔３９と反射面部４０および取付部４１を備える。そして、反射構造体２１が表示灯基板２０を覆うように表示灯基板２０の前方に配置され、ねじ釘４２が上前扉４の後方から部品取付孔２８を経由して取付部４１に締結され、反射構造体２１が上前扉４の前部に固定されると、ＬＥＤ３５が光源孔３９に個別に配置される。よって、ＬＥＤ３５が点灯または点滅すると、ＬＥＤ３５からの光が反射面部４０で前方に反射される。
【００１９】
球通路構造体２２は、通路カバー４４および通路基盤４５を備える。通路カバー４４は、透明または半透明な合成樹脂からなり、後方に開口し、前後方向に奥行の有る縦長な内部空間を構成する。通路カバー４４が透明または半透明な合成樹脂によって構成されているので、球通路２３（図２；図７参照）を通る球が遊技機枠１の前側から見えるという利点がある。通路カバー４４は上下方向に長く形成され、通路カバー４４の上下方向の中央部は上前扉４の窓１３を塞がないように左右方向の幅が細く形成される。通路カバー４４には、カバー側球受突起４６、カバー側係合部４７、カバーロック４８が設けられる。カバー側球受突起４６は、通路カバー４４の前面から後方に突出する横長に形成され、上下方向に分かれて配置される。
【００２０】
通路カバー４４の下半部における３個のカバー側球受突起４６の上面は、中央部から左右の方向に行くにしたがって上り勾配になっている。よって、球が上方から下半部におけるカバー側球受突起４６の上面に落下した場合、左右方向の内側に反射しつつ下方に落下するので、下半部におけるカバー側球受突起４６が球を左右方向の内側に集中させるという利点がある。カバー側係合部４７は、通路カバー４４の上下方向の中央部において、通路カバー４４の左右縁部から後方に突出する一対の係合片に凹部を個別に設けた構造である。カバー側球受突起４６の個数は、５個に限定されるものではなく、２個乃至４個や６個以上の複数または１個でもよい。
【００２１】
図４のａ図に示すように、カバーロック４８は、通路カバー４４から後方に突出するロック軸４９を中心として上前扉４の後面に平行な方向に回転可能に設けられる。具体的には、カバーロック４８は、筒体５０、操作部５１、ロック凹部５２、ロック係合部５３を備える。操作部５１は、筒体５０の後部から筒体５０の直径方向に突出する棒状に構成される。ロック凹部５２は、操作部５１の筒体５０から直径方向に突出した前面に設けられる。ロック係合部５３は、筒体５０の前部から前方に突出する一対の弾性片に個別に凹部５４を個別に設けた構造である。
【００２２】
そして、ロック係合部５３が前方に向けられ、筒体５０がロック軸４９に嵌め込まれ、ねじ釘５５が操作部５１の後方から操作部５１および筒体５０の内部を経由してロック軸４９に締結され、カバーロック４８がロック軸４９に回転可能に取り付けられる。図４のｂ図に示すように、一対のロック係合部５３における凹部５４がロック軸４９の外周面に設けられた二対の軸側突起５６；５７のうちの一対の軸側突起５６に嵌め込まれ、例えば、操作部５１が筒体５０から左右方向に突出した形態になる。その状態において、操作部５１が９０度回転操作されると、図４のｃ図に示すように、一対のロック係合部５３における凹部５４が上記嵌め込まれた一対の軸側突起５６から他方の一対の軸側突起５７に嵌め込まれ、操作部５１が筒体５０から上下方向に突出した形態になる。
【００２３】
図３に戻り、通路基盤４５は、透明な合成樹脂からなり、前方に開口し、前後方向に奥行の有る縦長な内部空間を構成する。通路基盤４５は上下方向に長く形成され、通路基盤４５の上下方向の中央部は上前扉４の窓１３を塞がないように左右方向の幅が細く形成される。通路基盤４５には、球入口部５９、基盤側球受突起６０、ロック逃避孔６１、係合挿入孔６２、取付部６３、可動鉤部材６４が設けられる。球入口部５９は、通路カバー４４と通路基盤４５とが互いに組み合わせられる場合、球出口部２４と接続されるものであって、前後方向への貫通孔として、通路基盤４５の上部に設けられる。基盤側球受突起６０は、通路基盤４５の前面から前方に突出する横長に形成され、上下方向に分かれて配置される。
【００２４】
通路基盤４５の下半部における３個の基盤側球受突起６０の上面は、中央部から左右の方向に行くにしたがって上り勾配になっている。よって、球が上方から下半部における基盤側球受突起６０の上面に落下した場合、左右方向の内側に反射しつつ下方に落下するので、下半部における基盤側球受突起６０が球を左右方向の内側に集中させるという利点がある。基盤側球受突起６０の個数は、６個に限定されるものではなく、２個乃至４個や６個以上の複数または１個でもよい。
【００２５】
ロック逃避孔６１は、通路カバー４４と通路基盤４５とが互いに組み合わせられる場合、カバーロック４８の操作部５１（図４のａ図参照）を受け入れるものであって、前後方向への貫通孔として、通路基盤４５の上部および下部に設けられる。係合挿入孔６２は、通路カバー４４と通路基盤４５とが互いに組み合わせられる場合、カバー側係合部４７を受け入れるものであって、前後方向への貫通孔として、通路基盤４５の上下方向の中央部の左右縁部に設けられる。可動鉤部材６４については、図６で詳述する。
【００２６】
表示灯基板２０、反射構造体２１、通路カバー４４、通路基板４５が上前扉４に取り付けられる場合について説明する。先ず、表示灯基板２０および反射構造体２１が上前扉４に取り付けられた後、通路基盤４５が表示灯基板２０および反射構造体２１を前方から被覆しつつ上前扉４の前部に重ねられ、ねじ釘７０が上前扉４の後方から部品取付孔２９を経由して通路基盤４５の取付部６３に締結され、通路基盤４５が上前扉４に固定され、可動鉤部材６４の後部が操作孔３０から上前扉４の後方に突出する。
【００２７】
次に、カバーロック４８の操作部５１がロック逃避孔６１に挿入可能な姿勢に保持されて通路基盤４５の方に向けられ、通路カバー４４が通路基盤４５に近づけられ、カバー側係合部４７が係合挿入孔６２を経由して可動鉤部材６４に嵌め合わされ、操作部５１がロック逃避孔６１およびロック孔２５に挿入される（図５のｂ図参照）。
【００２８】
そして、上前扉４の後方において、作業者が操作部５１を９０度回転操作するのに伴い、図５のａ図においてロック係合部５３の凹部５４が一方の軸側突起５６から外れて他方の軸側突起５７に嵌め込まれ、図５のｃ図に示すようにロック凹部５２が上前扉４のロック凸部３３に嵌め込まれ、通路カバー４４が上前扉４に固定され、通路カバー４４と通路基盤４５とが図７に示すように球通路構造体２２として組み合わされて内部に球通路２３を構成する。
【００２９】
要するに、通路カバー４４を上前扉４に取り付ける機構として、上前扉４の後面と平行な面内に回転し得るように通路カバー４４の後部に設けられたカバーロック４８と、上前扉４の前後方向への貫通孔として上前扉４に形成されたロック孔２５とを備え、カバーロック４８が通路カバー４４の後部に回転可能に取り付けられる筒体５０と筒体５０の後部から筒体５０の直径方向の外側に突出する操作部５１とを備え、操作部５１が上前扉４の前方からロック孔２５を経由して上前扉４の後方に突出した状態において、操作部５１が上前扉４の後面と平行な面内で回転して上前扉４のロック孔２５の周りに開閉不能に支持される構成であるので、通路カバー４４の上前扉４への着脱が簡単に行えるという利点がある。
【００３０】
図６を参照し、可動鉤部材６４について説明する。可動鉤部材６４には、一対の鉤部６５、一対の案内孔６６、操作部６７が設けられる。鉤部６５は、可動鉤部材６４の左右側部から前側に突出する弾性片の前部に突起を備える。案内孔６６は、縦長な前後方向への貫通孔として可動鉤部材６４の中央部に左右に分かれて設けられる。操作部６７は、可動鉤部材６４の中央部から後方に突出して設けられる。通路基盤４５には、一対の支柱６８および一対の案内突起６９が設けられる。支柱６８は、一対の案内孔６６と対応するように左右に分かれ、案内孔６６に挿入不能な太さを有し、通路基盤４５から後方に突出して設けられる。案内突起６９は、案内孔６６に挿入可能かつ上下方向に移動可能な太さと可動鉤部材６４よりも前後方向に長い長さとを有し、支柱６８から後方に突出し、支柱６８と同軸状に個別に設けられる。
【００３１】
可動鉤部材６４は、通路基盤４５に次のように取り付けられる。可動鉤部材６４の前面が通路基盤４５の後部と対向され、案内突起６９と案内孔６６とが互いに嵌め合わされ、一対のねじ釘７１が可動鉤部材６４の後方から案内突起６９に個別に締結され、ねじ釘７１における案内孔６６に挿入不能な頭部が可動鉤部材６４より後方に配置される。これによって、可動鉤部材６４が、支柱６８とねじ釘７１の頭部とで挟まれ、案内突起６９と案内孔６６とで上下に移動可能に、通路基盤４５の後部に取り付けられる。このように通路基盤４５に取り付けられた可動鉤部材６４は、可動鉤部材６４の自重によって下降し、案内孔６６の上端部が案内突起６９に受け止められ、鉤部６５が一対の案内突起６９の中心を通る直線上に配置される。
【００３２】
可動鉤部材６４が通路基盤４５の後部に取り付けられ、通路基盤４５が上前扉４の前部に取り付けられることによって、可動鉤部材６４が上前扉４と通路基盤４５との間の空間に配置され、可動鉤部材６４の操作部６７が操作孔３０から後方に突出する。そして、通路カバー４４のカバー側係合部４７が通路基盤４５の前方から係合挿入孔６２に挿入される場合、鉤部６５が一対の案内突起６９の中心を通る直線上に配置されているので、可動鉤部材６４が案内突起６９を中心として後方向に移動することはなく、上記カバー側係合部４７の係合挿入孔６２への挿入に伴い、鉤部６５の突起が左右の外側からカバー側係合部４７で内側に押され、鉤部６５の弾性片が内側に弾性変形し、鉤部６５の突起がカバー側係合部４７の凹部と出合うと、鉤部６５の弾性片が外側に復元し、カバー側係合部４７の凹部と鉤部６５の突起とが互いに適切に嵌め合わされるという利点がある。また、カバー側係合部４７と鉤部６５とが互いに嵌め合わされることによって、通路カバー４４が上前扉４にカバーロック４８で固定されるまで脱落しないように保持されるという利点がある。
【００３３】
カバー側係合部４７と鉤部６５とが互いに嵌め合わされることによって、通路カバー４４の上下方向の中央部が上前扉４および通路基盤４５に支持される。よって、図３に示すように、通路カバー４４が上下方向に長く、通路カバー４４の上下方向の中央部が上前扉４の窓１３を塞がないように左右方向の幅が細く形成されていても、通路カバー４４の上下方向の中央部が前方に飛び出すこともなく通路基盤４５から離れることもないという利点がある。しかも、カバー側係合部４７が通路カバー４４の左右縁部から後方に突出し、可動鉤部材６４が通路基盤４５の後部に設けられているので、可動鉤部材６４とカバー側係合部４７とが上前扉４と通路基盤４５との間の空間において互いに結合されても、左右方向の幅の細い通路カバー４４の上下方向の中央部と左右方向の幅の細い通路基盤４５の上下方向の中央部とにおける球通路２３（図７参照）の左右方向の幅が球の通過に支障を招かないように確保されるという利点がある。
【００３４】
通路カバー４４が上前扉４から外される場合、上前扉４の後方において、作業者が操作部６７を上方に操作するのに伴い、可動鉤部材６４が案内突起６９で上方に案内されつつ直線的に上昇し、カバー側係合部４７と鉤部６５との嵌め合いが解除される。次に、作業者が通路カバー４４を前側に引き出し、カバー側係合部４７が鉤部６５よりも前方に移動した後、作業者が上記操作部６７から上方の操作を解除するのに伴い、可動鉤部材６４が自重で下降し、案内孔６６の上端部が案内突起６９に受け止められた状態に復帰する。つまり、通路カバー４４が上前扉４から外される場合、作業者が操作部６７を上方に持ち上げたまま通路カバー４４を前方に移動してカバー側係合部４７を引き抜く。
【００３５】
図７を参照し、球通路構造体２２の内部について説明する。球通路構造体２２の内部では、カバー側球受突起４６と基盤側球受突起６０とが上下方向に１つずつ交互に球の通る隙間を形成しつつ配置された球通路２３を構成する。可動枠３（図１参照）、上前扉４、下前扉５（図１参照）が閉じられると、払出機構１８（図１参照）に繋がる可動枠３の球出口部１１と上前扉４の球出口部２４および通路基盤４５の球入口部５９が後方から前方に球の通る１つの通路として繋がる。よって、払出機構１８から排出された球は、可動枠３の球出口部１１から上前扉４の球出口部２４および通路基盤４５の球入口部５９を経由して球通路２３の上部に到達する。
【００３６】
球通路２３の上部に到達した球Ｐは、仮想線で示すように、例えば、基盤側球受突起６０から前方に放出されてカバー側球受突起４６の上に落下した後、カバー側球受突起４６から後方に放出されて基盤側球受突起６０の上に落下し、さらに、基盤側球受突起６０から前方に放出されてカバー側球受突起４６の上に落下するように、球が滝を流れ落ちるように前後方向に蛇行しながら落下して球通路２３の下部に到達し、球通路２３の下部から受皿１５（図１参照）に払い出される。
【００３７】
図７に戻り、球通路構造体２２と上前扉４との間には表示灯基板２０がＬＥＤ３５を前方に向けて配置されたので、球が球通路２３を通過する際に、ＬＥＤ３５が点灯または点滅すると、ＬＥＤ３５からの光が球通路２３を照明しつつ球に反射され、球通路２３を前後方向に蛇行しながら落下する球の状態を遊技者に適切に把握させることができるという利点がある。また、球通路構造体２２と表示灯基板２０との間には反射構造体２１が配置され、ＬＥＤ３５が反射構造体２１の光源孔３９に露出したので、ＬＥＤ３５からの光が球通路構造体２２に直接的に入射されるとともに、反射構造体２１の反射面部４０での反射光が球通路構造体２２に入射され、球通路２３を明るく照明することができるという利点がある。
【産業上の利用可能性】
【００３８】
図３および図７において、表示灯基板２０および反射構造体２１を設けなくてもよい。
【００３９】
図１および図２において、上前扉４および下前扉５を１体の前扉として構成してもよい。
【００４０】
図８は、発明を実施するための異なる形態を示す。図８において、上前扉４には係合挿入孔７２と支柱６８および案内突起６９が設けられ、通路基盤４５には係合挿入孔６２が設けられる。そして、可動鉤部材６４の案内孔６６が上前扉４の後方から案内突起６９に嵌め合わされ、一対のねじ釘７１が可動鉤部材６４の後方から案内突起６９に個別に締結される。このように可動鉤部材６４が上前扉４の後部に上下方向に移動可能に取り付けられてもよい。
【図面の簡単な説明】
【００４１】
【図１】上前扉の開けられた遊技機枠の斜視図（最良の形態）。
【図２】上前扉の閉じられた遊技機枠の斜視図（最良の形態）。
【図３】上前扉、表示灯基板、反射構造体、球通路構造体の分解斜視図（最良の形態）。
【図４】ａ図は通路カバーのロック軸とカバーロックとの分解斜視図、ｂ図は図４のａ図に示すＡ−Ａ線に沿って切断したロック係合部と軸側突起との係合形態の断面図、ｃ図は図４のａ図に示すＡ−Ａ線に沿って切断したロック係合部と軸側突起とのｂ図と異なる係合形態の断面図（最良の形態）。
【図５】ａ図は上前扉のロック孔と通路基盤のカバーロックとの分解斜視図、ｂ図は図５のａ図に示す矢印Ｂ方向から見たロック孔と操作部との解除形態の平面図、ｃ図は図５のａ図に示す矢印Ｂ方向から見た扉側係合部と操作部との係合形態の平面図（最良の形態）。
【図６】上前扉の一部と通路カバーの一部と通路基盤の一部と可動鉤部材との分解斜視図（最良の形態）。
【図７】球通路の縦方向断面図（最良の形態）。
【図８】上前扉の一部と通路カバーの一部と通路基盤の一部と可動鉤部材との分解斜視図（異なる形態）。
【符号の説明】
【００４２】
１は遊技機枠、２は固定枠、３は可動枠、４は上前扉、５は下前扉、６はヒンジ、７は盤設置構造体、８は発射機構、９は球払出装置、１０は施錠装置、１１は球出口部、１２はヒンジ、１３は窓、１４は窓パネル、１５は受皿、１６は発射操作機構、１７はタンク、１８は払出機構、１９は欠番、２０は表示灯基板、２１は反射構造体、２２は球通路構造体、２３は球通路、２４は球出口部、２５はロック孔、２６は扉側係合部、２７は部品取付孔、２８は部品取付孔、２９は部品取付孔、３０は操作孔、３１は前装飾部、３２は溝、３３はロック凸部、３４は欠番、３５はＬＥＤ、３６は取付孔、３７はねじ釘、３８は欠番、３９は光源孔、４０は反射面部、４１は取付部、４２はねじ釘、４３は欠番、４４は通路カバー、４５は通路基盤、４６はカバー側球受突起、４７はカバー側係合部、４８はカバーロック、４９はロック軸、５０は筒体、５１は操作部、５２はロック凹部、５３はロック係合部、５４は凹部、５５はねじ釘、５６は軸側突起、５７は軸側突起、５８は欠番、５９は球入口部、６０は基盤側球受突起、６１はロック逃避孔、６２は係合挿入孔、６３は取付部、６４は可動鉤部材、６５は鉤部、６６は案内孔、６７は操作部、６８は支柱、６９は案内突起、７０；７１はねじ釘、７２は係合挿入孔。
【図１】
0005202892.tif 000002
【図２】
0005202892.tif 000003
【図３】
0005202892.tif 000004
【図４】
0005202892.tif 000005
【図５】
0005202892.tif 000006
【図６】
0005202892.tif 000007
【図７】
0005202892.tif 000008
【図８】
0005202892.tif 000009